(57)【特許請求の範囲】
【請求項１】
地盤中に埋設された複数のドレーン材と、該各ドレーン材が連通されている集水管とを備え、該集水管に負圧を生じさせ、前記各ドレーン材を通して地盤中の間隙水を吸引するようにしている地盤改良装置において、
前記集水管及び／又は集水管が接続されるヘッダーパイプは、前記各ドレーン材又は集水管が連通された管本体と、該管本体の排水側端部に噴射口を向けて管本体内に配置されるノズルと、該ノズルと連通接続された状態で前記管本体内に挿通された駆動流体供給用内管とを備え、
駆動流体供給手段より前記駆動流体供給用内管を通して前記ノズルに駆動流体が供給されるようにしていることを特徴とする地盤改良装置。
【請求項２】
前記地盤表面を覆う気密シートを備え、
該気密シート下に前記集水管が配置され、前記集水管と前記各ドレーン材の上端部とが前記気密シート下で連通されている請求項１に記載の地盤改良装置。
【請求項３】
前記管本体の排水側端部には、ディフューザーが介在されている請求項１又は２に記載の地盤改良装置。
【請求項４】
前記集水管又はヘッダーパイプは、地上に設置されたポンプユニットに連通接続されている請求項１〜３の何れか１に記載の地盤改良装置。
【請求項５】
前記駆動流体供給手段は、前記集水管又は前記ヘッダーパイプを通して吸引された地盤中の間隙水を貯留する貯水槽と、前記貯水槽内の水を排水する駆動用ポンプとを備え、該駆動用ポンプが前記駆動流体供給用内管と連通接続されている請求項１〜４の何れか１に記載の地盤改良装置。
【請求項６】
前記管本体の端部を閉鎖する着脱可能なエンドキャップを備え、該エンドキャップに前記駆動流体供給用内管が貫通した状態に支持され、前記駆動流体供給用内管が前記管本体より取り外せるようにした請求項１〜５の何れか１に記載の地盤改良装置。
【請求項７】
地盤中に埋設された複数のドレーン材が連通されている集水管を地表部に配置し、該集水管に負圧を生じさせ、前記各ドレーン材を通して地盤中の間隙水を吸引し、地表面を圧密沈下させる地盤改良工法において、
前記集水管及び／又は集水管が接続されるヘッダーパイプには、前記各ドレーン材又は集水管が連通された管本体と、該管本体の端部排水口に噴射口を向けて前記管本体内に配置されたノズルと、前記管本体内に挿通され、前記ノズルに駆動流体を供給する駆動流体供給用内管とを備え、
前記駆動流体供給用内管を通して前記ノズルに駆動流体を供給し、前記ノズルより駆動流体を噴射させ、前記集水管及び／又は前記ヘッダーパイプ内に負圧を生じさせることを特徴とする地盤改良工法。
【請求項８】
前記地盤表面を覆う気密シート下に前記ドレーン材の上端が接続された通水層を形成するとともに、該通水層内に前記集水管を配置し、
前記ノズルより駆動流体を噴射させ、前記集水管内に負圧を生じさせることにより、前記通水層を介して前記各ドレーン材に負圧を生じさせる請求項７に記載の地盤改良工法。
【請求項９】
前記各集水管を地上に設置されたポンプユニットに連通接続し、前記ポンプユニットを稼働させて前記集水管に負圧を作用させる請求項７又は８に記載の地盤改良工法。
【請求項１０】
前記ポンプユニットを一定時間稼働させた後、停止させる請求項９に記載の地盤改良工法。
【発明の詳細な説明】
【技術分野】
【０００１】
本発明は、地盤に埋設したドレーン材に負圧を作用させることにより軟弱地盤を圧密沈下させる為の地盤改良装置及び地盤改良工法に関する。
【背景技術】
【０００２】
従来、軟弱地盤の改良には、軟弱地盤に複数のドレーン材を打設し、各ドレーン材に負圧を作用させ、軟弱地盤中の間隙水を地上に排水しつつ地表面を圧密沈下させる真空圧密ドレーン工法が広く用いられている（例えば、特許文献１を参照）。
【０００３】
その際に使用される排水装置は、地中に埋設されたプラスチックドレーン等のドレーン材と、各ドレーン材が連通接続されている地表部に水平方向に向けて配置された集水管と、各集水管の端部が連通接続されたヘッダーパイプと、ヘッダーパイプと連通接続されたポンプユニットとを備え、ポンプユニットを稼働させ、各集水管に負圧を生じさせることにより各ドレーン材を通して地盤中の間隙水が吸引され、集水管及びヘッダーパイプを通して貯水槽等に排水されるようになっている。
【先行技術文献】
【特許文献】
【０００４】
【特許文献１】特開２００２−２４２１７１号公報
【発明の概要】
【発明が解決しようとする課題】
【０００５】
しかしながら、上述の如き従来の技術では、地形等の影響でポンプユニットの設置高さが改良対象地盤の地表面より高くならざるを得ない場合や、圧密に伴い地表面が沈下し、ポンプユニットの設置高さと吸水点との間の高低差（水位差）が拡大するような場合、ポンプユニットの設置高さと吸水点との間の高低差（水位差）によって地盤に作用する負圧が低下し、圧密作業の効率が低下するという問題があった。
【０００６】
一方、このような高低差による負圧低下を防止する為には、貯水槽やポンプユニットを改良地盤の表面部に埋設することも考えられるが、改良域上部に盛り土を行う場合等には、貯水槽やポンプユニットが撤去できずに地中に残置されてしまうという問題があった。
【０００７】
更に、従来工法で使用されるポンプユニットは、非常に高価なうえ、定格出力が大きく使用電力も大きい為、導入費用及びランニングコストが嵩むという問題もあった。
【０００８】
そこで、本発明は、このような従来の問題に鑑み、圧密沈下等に伴う負圧損失の影響を抑え、効率良く作業を行うことができる地盤改良装置及び地盤改良工法の提供を目的としてなされたものである。
【課題を解決するための手段】
【０００９】
上述の如き従来の問題を解決するための請求項1に記載の発明の特徴は、地盤中に埋設された複数のドレーン材と、該各ドレーン材が連通されている集水管とを備え、該集水管に負圧を生じさせ、前記各ドレーン材を通して地盤中の間隙水を吸引するようにしている地盤改良装置において、前記集水管及び／又は集水管が接続されるヘッダーパイプは、前記各ドレーン材又は集水管が連通された管本体と、該管本体の排水側端部に噴射口を向けて管本体内に配置されるノズルと、該ノズルと連通接続された状態で前記管本体内に挿通された駆動流体供給用内管とを備え、駆動流体供給手段より前記駆動流体供給用内管を通して前記ノズルに駆動流体が供給されるようにしている地盤改良装置にある。
【００１０】
請求項２に記載の発明の特徴は、請求項１の構成に加え、前記地盤表面を覆う気密シートを備え、該気密シート下に前記集水管が配置され、前記集水管と前記各ドレーン材の上端部とが前記気密シート下で連通されていることにある。
【００１１】
請求項３に記載の発明の特徴は、請求項１又は２の構成に加え、前記管本体の排水側端部には、ディフューザーが介在されていることにある。
【００１２】
請求項４に記載の発明の特徴は、請求項１〜３の何れか１の構成に加え、前記集水管又はヘッダーパイプは、地上に設置されたポンプユニットと連通接続されていることにある。
【００１３】
請求項５に記載の発明の特徴は、請求項１〜４の何れか１の構成に加え、前記駆動流体供給手段は、前記集水管又は前記ヘッダーパイプを通して吸引された地盤中の間隙水を貯留する貯水槽と、前記貯水槽内の水を排水する駆動用ポンプとを備え、該駆動用ポンプが前記駆動流体供給用内管と連通接続されていることにある。
【００１４】
請求項６に記載の発明の特徴は、請求項１〜５の何れか１の構成に加え、前記管本体の端部を閉鎖する着脱可能なエンドキャップを備え、該エンドキャップに前記駆動流体供給用内管が貫通した状態に支持され、前記駆動流体供給用内管が前記管本体より取り外せるようにしたことにある。
【００１５】
請求項７に記載の発明の特徴は、地盤中に埋設された複数のドレーン材が連通されている集水管を地表部に配置し、該集水管に負圧を生じさせ、前記各ドレーン材を通して地盤中の間隙水を吸引し、地表面を圧密沈下させる地盤改良工法において、前記集水管及び／又は集水管が接続されるヘッダーパイプには、前記各ドレーン材又は集水管が連通された管本体と、該管本体の端部排水口に噴射口を向けて前記管本体内に配置されたノズルと、前記管本体内に挿通され、前記ノズルに駆動流体を供給する駆動流体供給用内管とを備え、前記駆動流体供給用内管を通して前記ノズルに駆動流体を供給し、前記ノズルより駆動流体を噴射させ、前記集水管及び／又は前記ヘッダーパイプ内に負圧を生じさせることにある。
【００１６】
請求項８に記載の発明の特徴は、請求項７の構成に加え、前記地盤表面を覆う気密シート下に前記ドレーン材の上端が接続された通水層を形成するとともに、該通水層内に前記集水管を配置し、前記ノズルより駆動流体を噴射させ、前記集水管内に負圧を生じさせることにより、前記通水層を介して前記各ドレーン材に負圧を生じさせることにある。
【００１７】
請求項９に記載の発明の特徴は、請求項７又は８の構成に加え、前記各集水管を地上に設置されたポンプユニットに連通接続し、前記ポンプユニットを稼働させて前記集水管に負圧を作用させることにある。
【００１８】
請求項１０に記載の発明の特徴は、請求項９の構成に加え、前記ポンプユニットを一定時間稼働させた後、停止させることにある。
【発明の効果】
【００１９】
本発明に係る地盤改良装置は、上述したように、地盤中に埋設された複数のドレーン材と、該各ドレーン材が連通されている集水管とを備え、該集水管に負圧を生じさせ、前記各ドレーン材を通して地盤中の間隙水を吸引するようにしている地盤改良装置において、前記集水管及び／又は集水管が接続されるヘッダーパイプは、前記各ドレーン材又は集水管が連通された管本体と、該管本体の排水側端部に噴射口を向けて管本体内に配置されるノズルと、該ノズルと連通接続された状態で前記管本体内に挿通された駆動流体供給用内管とを備え、駆動流体供給手段より前記駆動流体供給用内管を通して前記ノズルに駆動流体が供給されるようにしていることにより、吸水地点付近に設置される集水管又はヘッダーパイプがエジェクタ構造を成し、当該集水管又はヘッダーパイプ内に負圧が生じるので、圧密に伴い地表面が沈下した場合等の圧力損失を抑制し、効率良く圧密作業を行うことができる。また、エジェクタ構造を成す集水管を用いるので、高価な真空ポンプ等からからなるポンプユニットを省くことも可能となる。
【００２０】
また、本発明において、前記地盤表面を覆う気密シートを備え、該気密シート下に前記集水管が配置され、前記集水管と前記各ドレーン材の上端部とが前記気密シート下で連通されていることにより、地盤表層部に効率的且つ安価に負圧環境を設けることができる。
【００２１】
更に、本発明において、前記管本体の排水側端部には、ディフューザーが介在されていることにより、効率的に集水管又はヘッダーパイプ内を減圧することができる。
【００２２】
更にまた、本発明において、前記集水管又はヘッダーパイプは、地上に設置されたポンプユニットと連通接続されていることにより、地形等の影響でポンプユニットの設置高さが改良対象地盤の地表面より高くならざるを得ない場合や、圧密に伴い地表面が沈下し、ポンプユニットの設置高さと吸水点との間の高低差（水位差）が拡大するような場合における圧力損失（ヘッドロス）の影響を抑制することができる。
【００２３】
また、本発明において、前記駆動流体供給手段は、前記集水管又は前記ヘッダーパイプを通して吸引された地盤中の間隙水を貯留する貯水槽と、前記貯水槽内の水を排水する駆動用ポンプとを備え、該駆動用ポンプが前記駆動流体供給用内管と連通接続されていることにより、汲み上げた地盤中の間隙水を駆動流体として循環させることができる。
【００２４】
更に、本発明において、前記管本体の端部を閉鎖する着脱可能なエンドキャップを備え、該エンドキャップに前記駆動流体供給用内管が貫通した状態に支持され、前記駆動流体供給用内管が前記管本体より取り外せるようにしたことにより、上部に盛り土を施工する場合などでも、駆動流体供給用内管を再利用することができる。
【００２５】
本発明に係る地盤改良工法は、上述したように、地盤中に埋設された複数のドレーン材が連通されている集水管を地表部に配置し、該集水管に負圧を生じさせ、前記各ドレーン材を通して地盤中の間隙水を吸引し、地表面を圧密沈下させる地盤改良工法において、前記集水管及び／又は集水管が接続されるヘッダーパイプには、前記各ドレーン材又は集水管が連通された管本体と、該管本体の端部排水口に噴射口を向けて前記管本体内に配置されたノズルと、前記管本体内に挿通され、前記ノズルに駆動流体を供給する駆動流体供給用内管とを備え、前記駆動流体供給用内管を通して前記ノズルに駆動流体を供給し、前記ノズルより駆動流体を噴射させ、前記集水管及び／又は前記ヘッダーパイプ内に負圧を生じさせることにより、吸水地点付近に設置される集水管又はヘッダーパイプがエジェクタ構造を成し、当該集水管又はヘッダーパイプ内に負圧が生じるので、圧密に伴い地表面が沈下した場合等であっても、圧力損失を抑制し、効率良く圧密作業を行うことができる。
【００２６】
また、本発明において、前記地盤表面を覆う気密シート下に前記ドレーン材の上端が接続された通水層を形成するとともに、該通水層内に前記集水管を配置し、前記ノズルより駆動流体を噴射させ、前記集水管内に負圧を生じさせることにより、前記通水層を介して前記各ドレーン材に負圧を生じさせることにより、地盤表層部において良好な負圧環境下で改良作業を行うことができる。
【００２７】
また、本発明において、前記各集水管を地上に設置されたポンプユニットに連通接続し、前記ポンプユニットを稼働させて前記集水管に負圧を作用させることにより、ポンプユニットと各集水管のエジェクタ効果との相乗効果によって効率良く作業を行えるとともに、ポンプユニットの設置高さと吸水点との間の高低差（水位差）が拡大するような場合における圧力損失（ヘッドロス）の影響を抑制することができる。
【００２８】
更に、本発明において、前記ポンプユニットを一定時間稼働させた後、停止させることにより、定格出力が大きく使用電力も大きいポンプユニットの使用を最低限に留めることができ、ランニングコストの低減を図ることができる。
【図面の簡単な説明】
【００２９】
【図１】本発明に係る地盤改良装置の使用態様の概略を示す平面図である。
【図２】同上の縦断面図である。
【図３】図1中の集水管を示す断面図である。
【図４】集水管の他の一例を示す断面図である。
【図５】（ａ）は本発明に係る地盤改良装置の使用態様の他の一例の概略を示す縦断面図、（ｂ）は同平面図である。
【図６】本発明に係る地盤改良装置の使用態様の更に他の一例の概略を示す平面図である。
【図７】本発明に係る地盤改良装置の使用態様の更に他の一例の概略を示す縦断面図である。
【発明を実施するための形態】
【００３０】
次に、本発明に係る地盤改良装置の実施態様を図１〜図３に示した実施例に基づいて説明する。尚、図中符号１は軟弱地盤等からなる地盤、符号２は地盤の地盤改良工法に使用される地盤改良装置である。
【００３１】
地盤改良装置２は、図１、図２に示すように、地盤１中に上下に向けて埋設された複数のドレーン材３，３...と、各ドレーン材３，３...が連通接続された集水管４，４...とを備え、各集水管４，４...の一端がヘッダーパイプ５を介して地上に設置されたポンプユニット６に接続され、吸水された地盤中の間隙水が貯水槽７に排水されるようになっている。
【００３２】
ポンプユニット６の態様は、特に限定されないが、例えば、一般的に使用される真空ポンプや排水ポンプで構成されたものでもよく、また、真空ポンプと排水ポンプとの２種類のポンプを備え、ヘッダーパイプ５と連通させたタンク内部の空気を真空ポンプで排出して減圧するとともに、当該タンク内部に揚水された水を排水ポンプで貯水槽７に排出する構造のもの等を用いてもよい。
【００３３】
ドレーン材３，３...は、例えば、プラスチックボードドレーンが使用され、特に図示しないが、波型断面を有する芯材の両面が不織布等の透水性被覆材で被覆され、各ドレーン材３，３...の内外が土砂の流入が防止された状態で連通している。尚、ドレーン材３，３...は、プラスチックボードドレーンに限定されず、例えば、合成樹脂繊維製の多孔質材からなるケミカルドレーンやペーパードレーン等を使用してもよい。
【００３４】
このドレーン材３，３...の上端は、不透水性の連結キャップ８を介して通水ホース９に連結され、各通水ホース９の他端が集水管４，４...に連通接続されている。
【００３５】
また、各ドレーン材３，３...は、その上端部（キャップ部）を地盤１の地表から所望の深さまで埋め込むことにより、地盤１表層部が気密シール層を成し、ドレーン材３，３...の内外で好適に圧力差が生ずるようになっている。
【００３６】
各集水管４，４...は、図３に示すように、互いに水平且つ平行に向けて改良対象地盤の地表部１ａに設置され、各ドレーン材３，３...が連通接続された管本体１０と、管本体１０の排水側端部１１に噴射口１２ａを向けて管本体１０内に配置されるノズル１２と、ノズル１２と連通接続された状態で管本体１０内に挿通された駆動流体供給用内管１３とを備え、駆動流体供給手段より駆動流体供給用内管１３を通してノズル１２に駆動流体が高圧で供給されるようになっている。
【００３７】
管本体１０は、長尺筒状に形成され、その筒軸方向に間隔を置いて通水ホース９が連通接続される複数の連結部１０ａ，１０ａ...を備え、一方（ヘッダーパイプ５側）の排水側端部１１が可撓性を有する連結ホース１４を介してヘッダーパイプ５に接続され、他端がエンドキャップ１５により閉鎖され、内部の気密性が保たれている。尚、本実施例では、排水側端部１１が管本体１０の端部に同径の短管を接続して形成されているが、排水側端部１１は、管本体１０と一体でもよい。
【００３８】
駆動流体供給用内管１３は、管本体１０に比べ管径の小さな長尺筒状に形成され、一端が可撓性を有する連結ホース１７を介して駆動流体供給手段に接続され、他端にノズル１２が同軸配置に接続されている。
【００３９】
駆動流体供給用内管１３のノズル側端部は、管本体１０の内周部に突設された取付保持具１６に挿抜可能に支持され、ノズル１２の吐出口１２ａと排水側端部１１の中心とが管軸方向で連続した状態に保持されている。
【００４０】
よって、この駆動流体供給用内管１３は、先端部が管本体１０の内周面に取付保持具１６を介して支持され、基端側が挿通孔１５ａを通してエンドキャップ１５に貫通した状態に支持され、管本体１０内の略中央に配置され、管本体１０と二重管構造を成している。
【００４１】
駆動流体供給手段は、例えば、図１に示すように、貯水槽７内に設置された水中ポンプからなる駆動用ポンプ１８と、ヘッダーパイプ５の対岸側に設置された分配パイプ１９と、駆動用ポンプ１８と分配パイプ１９とを結ぶ給水管２０とを備え、給水管２０を通して貯水槽７に貯留された地盤中の間隙水を各集水管４，４...の駆動流体供給用内管１３に分配し、ノズル１２に高圧で駆動流体である水を供給するようになっている。
次に、この装置を使用した地盤改良工法について説明する。
【００４２】
この工法では、先ず、ポンプユニット６の稼働を開始し、各集水管４，４...の管本体１０内に負圧を作用させ、各ドレーン材３，３...内を減圧することにより、ドレーン材３，３...を通して地盤中の間隙水を吸水し、圧密を促進するとともに、汲み上げた地盤中の間隙水を貯水槽７に貯留する。
【００４３】
また、それと同時に駆動流体供給手段から各集水管４，４...の駆動流体供給用内管１３に駆動流体である水の供給を開始し、その水をノズル１２より管本体１０の排水側端部１１に向けて高圧のジェット流として噴射させる。
【００４４】
これにより、噴射された水の水流に周囲の水が巻き込まれ、そのエジェクタ効果によって排水側端部１１よりも上流側、即ち、管本体１０内に負圧が作用し、それに伴いドレーン材３，３...内が減圧される。
【００４５】
よって、管本体１０内には、ポンプユニット６による負圧と、集水管４，４...のエジェクタ効果による負圧とが同時に作用し、それによって各ドレーン材３，３...内が減圧され、圧密が促進され、汲みあげられた水が貯水槽７に貯留される。
【００４６】
また、貯水槽７に貯留された水は、駆動用ポンプ１８によって駆動流体として集水管４，４...の駆動流体供給用内管１３に供給され、貯水槽７と集水管４，４...との間で循環するようになっている。
【００４７】
このように圧密が促進されると、改良対象地盤１の地表が沈下し、ポンプユニット６の設置高さと吸水点との間の高低差（水位差）が拡大し、ポンプユニット６による汲み上げ量が低下する。
【００４８】
一方、エジェクタ構造を成す各集水管４，４...は、沈下する改良地盤範囲の地表面１ａに設置されているので、吸水点とともに沈下に追従して変位し、分配パイプ１９が設置された現地上面と集水管４，４...との間の高低差（水位差）が拡大してもその水位差によって供給圧が上昇するので影響が少なく、各集水管４，４...のエジェクタ構造による負圧が安定して管本体１０内に作用する。
【００４９】
よって、地表面の沈下による圧力損失（ヘッドロス）が増大し、ポンプユニット６による汲み上げ効率が低下しても、その損失を各集水管４，４...のエジェクタ効果で補い、安定して圧密を促進することができる。
【００５０】
尚、ポンプユニット６は、一定時間稼働させ、ポンプユニット６の設置高さと吸水点との間の高低差（水位差）が拡大し、ポンプユニット６による汲み上げ量が基準の量にまで低下した後、停止させてもよく、それによって、定格出力が大きく使用電力も大きいポンプユニット６の使用を最低限に留め、ランニングコストの低減を図ることができる。
【００５１】
また、本願の地盤改良工法では、揚水量の増減及び集水管４，４...内の負圧の増減を観測しつつ行い、その観測値に応じてポンプユニット６の稼働と停止を行うようにしてもよい。
【００５２】
次に、必要に応じて改良対象地盤の地表面１ａ上に盛り土をし、盛り土の荷重圧によって更に圧密を促進する。
【００５３】
そして、最後に、管本体１０の端部からエンドキャップ１５とともに、ノズル１２及び駆動流体供給用内管１３を抜き出して撤去し、作業が終了する。
【００５４】
尚、上述の実施例では、ポンプユニット６を使用した例について説明したが、状況に応じて、ポンプユニット６を用いずに各集水管４，４...のエジェクタ効果による負圧のみで圧密作業を行うようにしてもよい。
【００５５】
その場合、高価な真空ポンプ等からなるポンプユニット６の導入費用が不要になるとともに、ランニングコストの低コスト化を図ることができる。
【００５６】
尚、集水管４の態様は、上述の実施例に限定されず、図４に示すように、管本体１０の排水側端部１１にディフューザーを介在させ、その位置に合わせてノズル１２を設置してもよい。
【００５７】
排水側端部１１を成すディフューザーは、管本体１０の内径に比べて小さい縮径部１１ａと、縮径部１１ａの上下流側にそれぞれ形成されたテーパ部１１ｂ，１１ｃとからなるダクト状に形成され、上流側が管本体１０に連結され、下流側が可撓性を有する連結ホース１４を介してヘッダーパイプ５に接続されている。
【００５８】
そして、噴射された水は、ディフューザー１１で流速が増すため、ベンチュリ効果によって圧力が低下し、この減圧された水流に周囲の水が巻き込まれ、ディフューザー１１の上流側、即ち、管本体１０内に負圧が作用するようになっている。
【００５９】
また、上述の実施例では、ドレーン材３，３...に垂直ドレーンを用いた例について説明したが、図５に示すように、水平ドレーン２１，２１...を用いた場合にも適用することができる。尚、上述の実施例と同様の構成には同一符号を付して説明を省略する。
【００６０】
更に、上述の実施例では、各集水管４，４...にエジェクタ構造を備えた例について説明したが、図６に示すように、各集水管２２，２２...が接続されるヘッダーパイプ２３にエジェクタ構造を備えるようにしてもよく、集水管２２，２２...及びヘッダーパイプ２３の双方にエジェクタ構造を備えるようにしてもよい。尚、同様の構成には同一符号を付して説明を省略する。
【００６１】
更にまた、本願発明の地盤改良装置３０は、図７に示すように、地盤１表面を覆う気密シート３１と、気密シート３１下に配置され、ドレーン材３２，３２...の上端が接続された砂等からなる通水層３３とを備え、気密シート３１下に集水管４が配置され、集水管４と各ドレーン材３２，３２...とが気密シート３１下の通水層３３を介して連通されているものであってもよい。尚、上述の実施例と同様の構成には同一符号を付して説明を省略する。
【００６２】
尚、この実施例において集水管４の管本体１０には、その筒軸方向に間隔を置いて管本体１０の内外に連通した複数の連通孔３４，３４...を備えている。この連通孔３４は、フィルターを備え、通気性及び通水性を有するが、砂等の異物を管本体１０内に浸入させないようになっている。
【００６３】
この地盤改良装置３０を使用した改良工法では、ポンプユニット６を稼働させ、ノズル１２より駆動流体を噴射し、集水管４内に負圧が生じさせると、地盤表面が気密シート３１で覆われているので、通水層３３に負圧が作用し、通水層３３を介して各ドレーン材３２，３２...に負圧が伝達されるようになっている。
【００６４】
尚、図６の実施例では、通水層３３を設けた場合について説明したが、通水層３３を設けず、気密シート３１と地表面との間に集水管４を配置し、この集水管４にドレーン材の上端が気密シート３１下で通水ホース１５等を介して接続させるようにしてもよい。
【符号の説明】
【００６５】
１  地盤（軟弱地盤）
２  地盤改良装置
３  ドレーン材
４  集水管
５  ヘッダーパイプ
６  ポンプユニット
７  貯水槽
８  連結キャップ
９  通水ホース
１０  管本体
１１  排水側端部
１２  ノズル
１３  駆動流体供給用内管
１４  連結ホース
１５  エンドキャップ
１６  取付保持具
１７  連結ホース
１８  駆動用ポンプ
１９  分配パイプ
２０  給水管
２１  水平ドレーン
２２  集水管
３０  地盤改良装置
３１  気密シート
３２  ドレーン材
３３  通水層
３４  連通孔
【図１】
0006587184.tif 000002
【図２】
0006587184.tif 000003
【図３】
0006587184.tif 000004
【図４】
0006587184.tif 000005
【図５】
0006587184.tif 000006
【図６】
0006587184.tif 000007
【図７】
0006587184.tif 000008